(57)【特許請求の範囲】
【請求項１】
ＤＡＢ信号を選択同調するチューナー部と、
このチューナー部が選択同調した信号に基づき、ＮＵＬＬ信号を検波する信号処理部と、上記ＤＡＢ信号をシーク受信する際、上記チューナ部が周波数同調して得たＤＡＢ信号における伝送モード中の１最大周期間に、上記信号処理部がＮＵＬＬ信号を検出しない場合は上記チューナ部の同調周波数を変更するように制御し、上記信号処理部がＮＵＬＬ信号を検出した場合は同じ周期間を複数回加算処理した信号によりＤＡＢ信号の伝送モードを判別する制御手段とを備えたディジタル放送受信機。
【請求項２】
上記制御手段は、上記信号処理部がＮＵＬＬ信号を検出した場合、同じ周期間を複数回加算処理した信号の中間部において、上限と下限でそれぞれのスレッシュホールド値にてカットして抽出した信号により伝送モードを判別するようにした請求項１記載のディジタル放送受信機。
【請求項３】
ＤＡＢ信号を選択同調するチューナー部と、
このチューナー部が選択同調した信号に基づき、ＮＵＬＬ信号を検波する信号処理部とを有し、上記ＤＡＢ信号をシーク受信する際、上記チューナ部が周波数同調して得たＤＡＢ信号における伝送モード中の１最大周期間に、上記信号処理部がＮＵＬＬ信号を検出しない場合は上記チューナ部の同調周波数を変更するように制御し、上記信号処理部がＮＵＬＬ信号を検出した場合は同じ周期間を複数回加算処理した信号によりＤＡＢ信号の伝送モードを判別するようにしたディジタル放送受信機のシーク方法。
【発明の詳細な説明】
【０００１】
【発明の属する技術分野】
この発明は、ＤＡＢ信号のシーク受信に係わるディジタル放送受信機及びそののシーク方法に関するものである。
【０００２】
【従来の技術】
ＤＡＢ（Digital Audio Broadcasting）信号を受信する際、先ず最初にＤＡＢ信号中のＮＵＬＬ（同期基準シンボル）の「長さTn」と「周期Ts」から、複数ある伝送モードのどのモードであるかを判別する必要がある。この、伝送モードの判別処理では、判別精度を上げるため数周期分の信号を加算処理して判定している。従って、シーク動作時にこの伝送モード判別処理を行うと、例えば、４周期分の信号を加算処理する場合、ＮＵＬＬの最大周期が９６ｍＳであるから判定には３８４ｍＳ（９６×４）要する。つまり、毎ステップ３８４ｍＳ以上の待ち時間が発生する。
【０００３】
図３はＤＡＢ信号波形の説明図で、ＤＡＢ信号（ＤＡＢ放送波）は、信号区間と信号の無い期間ＮＵＬＬ（同期基準シンボル）が一定周期で送信される。ＤＡＢ放送には４つの伝送モードがあり、この伝送モードはＮＵＬＬの「長さTn」と「周期Ts」によって図３の伝送モードI〜IVのように識別される。
【０００４】
このようなＤＡＢ信号を受信するために、ディジタル放送受信機は図４のように構成される。アンテナ１より入力された信号は、チューナー部２で選択・同調された後、Ａ／Ｄ変換可能な周波数帯まで下げられ、信号処理部３へ入力される。信号処理部３では、Ａ／Ｄ変換後のディジタルデータを用いて、ＮＵＬＬ検波、信号同期、データデコード等の処理を行いオーディオデータをスピーカ４より出力する。また、操作部５より入力される情報により制御手段であるマイコン６が、チューナー部２、信号処理部３及び表示部７をそれぞれ制御する。
【０００５】
従って、ＤＡＢ信号を受信する際、マイコン６が受信周波数をチューナー部２へ設定した後、最初に信号処理部３においてＤＡＢ信号中のＮＵＬＬ（同期基準シンボル）を検出し、その「長さTn」と「周期Ts」から伝送モードを判別する必要がある。その後、判別した伝送モードに基づいた同期処理、デコード処理を行う。また、検出したＮＵＬＬの位置を基準に同期処理が開始されるため、正確なＮＵＬＬ検出が要求される。
【０００６】
移動体での受信の場合には、図５のＤＡＢ信号の波形図に示すように、アンテナ１より入力される電波が常に変動しており、特に変化が急峻な場合は、その信号の一部がノイズとなって信号の品質を劣化させてしまうことがある。
そこで従来より、伝送モードの判別精度を上げるために、図６の説明図に示すように、数周期分（この例では４周期分）の信号を加算処理して伝送モードを判別する方法が用いられている。上記の様に、検波信号にノイズ成分が現れるような状況下でも、例えば、４周期分の検波信号（ｎ〜ｎ＋３番目）を加算処理する方法を用いると、図６のように精度よくＮＵＬＬを検波することができる。
従って、多少信号に乱れが発生するような状況下でも、正確にＮＵＬＬの位置を検出でき、伝送モードを判別することができる。
【０００７】
【発明が解決しようとする課題】
ところが、シーク受信時に上記のような複数回周期分を加算し、伝送モード判別処理を行うと、伝送モード中のＮＵＬＬの最大周期（９６ｍＳ）の倍数で判別時間が長くなる。例えば、４周期分の加算処理であれば、ＮＵＬＬの判別には最低でも３８４ｍＳ（＝９６ｍＳ×４）要する。つまり、シーク動作のステップ毎に３８４ｍＳ以上の待ち時間が発生することになる。
【０００８】
従来のマイコンによるシーク動作制御は、図７のフローチャートに示すような手順で行っていた。
先ず、チューナー部２に受信周波数の変更を設定し（Ｓ１）、信号処理部３で伝送モード判定（Ｓ２）を行う間、約４００ｍＳの待ち時間を設け、時間経過後、信号処理部３で伝送モードが確定したかどうか判定する（Ｓ３）。伝送モードが確定していれば、信号処理部３へ同期開始の設定を行い（Ｓ４）、信号処理部３での同期処理が完了した後（Ｓ５）、受信状態になる（Ｓ６）。
伝送モードが確定していなければ、チューナー部２に受信周波数の変更を設定し（Ｓ１）、同様の処理を行う。
【０００９】
しかしながら、この方法によると、チューナー部２に設定した受信周波数帯にＤＡＢ信号が有る場合でも、無い場合でも、必ず伝送モード判別に要する時間を待つ必要があり、伝送モード判別の精度を上げるために、加算演算の回数を増すとシーク速度が極端に遅くなる問題がある。
【００１０】
この発明は、上記のような問題点を解消するためになされたもので、周波数同調して得たＤＡＢ信号における伝送モード中の１最大周期間に、ＮＵＬＬの有無を検出し、ＮＵＬＬが検出されたときは、ＤＡＢ信号の伝送モードを判別する処理を行い、ＮＵＬＬが検出されないときは、チューナー部の同調周波数を変更するように制御して、シーク時間を短縮しようとするものである。
【００１１】
【課題を解決するための手段】
この発明に係わるディジタル放送受信機は、ＤＡＢ信号を選択同調するチューナー部と、このチューナー部が選択同調した信号に基づき、ＮＵＬＬ信号を検波する信号処理部と、上記ＤＡＢ信号をシーク受信する際、上記チューナ部が周波数同調して得たＤＡＢ信号における伝送モード中の１最大周期間に、上記信号処理部がＮＵＬＬ信号を検出しない場合は上記チューナ部の同調周波数を変更するように制御し、上記信号処理部がＮＵＬＬ信号を検出した場合は同じ周期間を複数回加算処理した信号によりＤＡＢ信号の伝送モードを判別する制御手段とを備えたものである。
【００１２】
また、制御手段は、信号処理部がＮＵＬＬ信号を検出した場合、同じ周期間を複数回加算処理した信号の中間部において、上限と下限でそれぞれのスレッシュホールド値にてカットして抽出した信号により伝送モードを判別するようにしたものである。
【００１３】
また、この発明のディジタル放送受信機のシーク方法は、ＤＡＢ信号を選択同調するチューナー部と、このチューナー部が選択同調した信号に基づき、ＮＵＬＬ信号を検波する信号処理部とを有し、上記ＤＡＢ信号をシーク受信する際、上記チューナ部が周波数同調して得たＤＡＢ信号における伝送モード中の１最大周期間に、上記信号処理部がＮＵＬＬ信号を検出しない場合は上記チューナ部の同調周波数を変更するように制御し、上記信号処理部がＮＵＬＬ信号を検出した場合は同じ周期間を複数回加算処理した信号によりＤＡＢ信号の伝送モードを判別するようにしたものである。
【００１４】
【発明の実施の形態】
実施の形態１．
図１はこの発明の実施の形態１における制御手段によるシーク動作制御を示すフローチャートである。この発明に用いるディジタル放送受信機の構成は図４と同じであるので再説明を省略する。
【００１５】
チューナー部２に受信周波数の変更を設定した後（Ｓ１１）、信号処理部３での周期加算回数を１回に設定し、信号処理部３で伝送モード判定（Ｓ１２）を行う間、約１００ｍＳ（種々の伝送モード中でＮＵＬＬの最大周期１周期分）の待ち時間を設け、時間経過後、信号処理部３で何らかの伝送モードを検出したかどうか判定する（Ｓ１３）。つまり、ＮＵＬＬらしきものが検出できたかどうか判定する。
【００１６】
ＮＵＬＬが検出できていれば（Ｓ１３―Ｙｅｓ）、信号処理部３での周期加算回数を４回に設定し、再度、図６のように、４周期分を加算処理し、加算信号の中間部を下限スレッシュホルド値（Ｌ）と上限スレッシュホルド値（Ｈ）でカットして抽出し、信号処理部３で伝送モード判定（Ｓ１４）を行う間、約４００ｍＳの待ち時間を設け、時間経過後、信号処理部３で伝送モードが確定したかどうか判定する（Ｓ１５）。
伝送モードが確定していれば（Ｓ１５―Ｙｅｓ）、信号処理部３へ同期開始の設定を行い（Ｓ１６）、信号処理部３での同期処理が完了（Ｓ１７）した後、受信状態になる（Ｓ１８）。
【００１７】
伝送モードが確定していなければ（Ｓ１５―Ｎｏ）、チューナー部２に受信周波数の変更を設定し、同様の処理を行う。また、ＮＵＬＬ検出ができていなければ（Ｓ１３―Ｎｏ）、チューナー部２に受信周波数の変更を設定し、同様の処理を行う。
【００１８】
図２はシーク動作制御の従来例とこの発明とを比較する説明図である。
この発明のものによると、図２（ｂ）に示すように、チューナー部２に受信周波数の変更を行った後（Ｓ１１）、先ず、周期加算回数を１回に設定して、伝送モード判定（Ｓ１２）、すなわち、ＮＵＬＬの有無のみをチェックする（検出時間約１００ｍＳ）。ＮＵＬＬが検出できなければ（ＮＧ）、チューナー部２に受信周波数の変更を設定し、同様の処理を行う（検出時間約１００ｍＳ）。再び、ＮＵＬＬが検出できなければ（ＮＧ）、チューナー部２に受信周波数の変更を再度設定し、同様の処理を行う（検出時間約１００ｍＳ）。ＮＵＬＬが有る場合には（ＯＫ）、ここで、周期加算回数を４回に設定して伝送モード判別を行う（判定時間約４００ｍＳ）。
このとき、この発明の場合は、伝送モードの判定を終了するまで、判定時間は合計７００ｍＳを必要とした。
【００１９】
一方、図２（ｂ）と同様な条件で、従来例によると、図２（ａ）に示すように、チューナー部２に受信周波数の変更を行った後（Ｓ１）、周期加算回数を４回に設定して、伝送モード判定（Ｓ２）を実施する（判定時間約４００ｍＳ）。伝送モードが確定していなければ（ＮＧ）、チューナー部２に受信周波数の変更を設定し（Ｓ１）、同様の処理を行う（判定時間約４００ｍＳ）。再び、伝送モードが確定していなければ（ＮＧ）、チューナー部２に受信周波数の変更を設定し（Ｓ１）、同様の処理を行う（判定時間約４００ｍＳ）。ここで、伝送モードが確定すれば、判定処理は終了する。
このとき、従来例の場合は、伝送モードの判定を終了するまで、判定時間は合計約１２００ｍＳを必要とした。
【００２０】
図２（ａ）（ｂ）で従来例とこの発明を比較したように、この発明の場合は、伝送モードの判定に要する時間、すなわちシーク時間を短縮することができる。しかも、ＮＵＬＬが検出されると、ＮＵＬＬ検出精度を下げずに伝送モードの判定処理を行い、同期処理に移行できる。また、ＮＵＬＬが無い場合には、伝送モードの判定を行うことなく、即チューナー部２に受信周波数の変更を設定できる。
従って、受信周波数帯にＤＡＢ信号が有る場合は、伝送モード判別の精度を保つことができ、ＤＡＢ信号が無い帯域では、シーク速度を早くすることができる。
【００２１】
【発明の効果】
以上説明したように、この発明のディジタル放送受信機によれば、ＤＡＢ信号を選択同調するチューナー部と、このチューナー部が選択同調した信号に基づき、ＮＵＬＬ信号を検波する信号処理部と、上記ＤＡＢ信号をシーク受信する際、上記チューナ部が周波数同調して得たＤＡＢ信号における伝送モード中の１最大周期間に、上記信号処理部がＮＵＬＬ信号を検出しない場合は上記チューナ部の同調周波数を変更するように制御し、上記信号処理部がＮＵＬＬ信号を検出した場合は同じ周期間を複数回加算処理した信号によりＤＡＢ信号の伝送モードを判別する制御手段とを備えたので、シーク時間を短縮できると共に、伝送モード判別の精度を保つことができる。
【００２２】
また、制御手段は、信号処理部がＮＵＬＬ信号を検出した場合、同じ周期間を複数回加算処理した信号の中間部において、上限と下限でそれぞれのスレッシュホールド値にてカットして抽出した信号により伝送モードを判別するようにしたので、伝送モード判別の精度を保つことができる。
【００２３】
また、この発明のディジタル放送受信機のシーク方法によれば、ＤＡＢ信号を選択同調するチューナー部と、このチューナー部が選択同調した信号に基づき、ＮＵＬＬ信号を検波する信号処理部とを有し、上記ＤＡＢ信号をシーク受信する際、上記チューナ部が周波数同調して得たＤＡＢ信号における伝送モード中の１最大周期間に、上記信号処理部がＮＵＬＬ信号を検出しない場合は上記チューナ部の同調周波数を変更するように制御し、上記信号処理部がＮＵＬＬ信号を検出した場合は同じ周期間を複数回加算処理した信号によりＤＡＢ信号の伝送モードを判別するようにしたので、シーク時間を短縮できると共に、伝送モード判別の精度を保つことができる。
【図面の簡単な説明】
【図１】  この発明の実施の形態１における制御手段によるシーク動作制御を示すフローチャートである。
【図２】  シーク動作制御の従来例とこの発明とを比較する説明図である。
【図３】  ＤＡＢ信号波形の説明図である。
【図４】  ディジタル放送受信機の構成図である。
【図５】  ＤＡＢ信号の波形図である。
【図６】  伝送モードの判別精度を上げる手法の説明図である。
【図７】  従来のマイコンによるシーク動作制御の手順を示すフローチャートである。
【符号の説明】
１  アンテナ                        ２  チューナー部
３  信号処理部                      ４  スピーカ
５  操作部                          ６  マイコン
７  表示部。
【図１】
0004088431.tif 000002
【図２】
0004088431.tif 000003
【図３】
0004088431.tif 000004
【図４】
0004088431.tif 000005
【図５】
0004088431.tif 000006
【図６】
0004088431.tif 000007
【図７】
0004088431.tif 000008